(57)【要約】【課題】  印刷物を再現する複数のプルーファに対して画像データを高い生産効率で出力することができるデータ出力装置およびデータ出力プログラムを提供する。【解決手段】  各プルーファ宛の画像データを入手するデータ入手部、  データ入手部によって入手された画像データを、その画像データが宛てられたプルーファ用の出力処理を経てそのプルーファに向けて出力する出力処理部、  複数のプルーファそれぞれ用の出力処理が同時並行に実行される並行処理モードと、一時には１つの出力処理が実行される排他処理モードとのうちいずれかの処理モードを操作に応じて選択するモード選択部、および  モード選択部によって選択された処理モードに従った出力処理を出力処理部に実行させる処理管理部を備えている。【選択図】        図１
2005276035.tif 000002
【特許請求の範囲】
【請求項１】
画像データに従って印刷物を再現する複数のプルーファが接続された、各プルーファに向けた画像データを出力するデータ出力装置において、
各プルーファについて、そのプルーファで再現される印刷物を表現した、そのプルーファ宛の印刷データを入手するデータ入手部、
前記データ入手部によって入手された印刷データを、その印刷データが宛てられたプルーファ用の出力処理を経て、該プルーファ用の画像データに変換し、該プルーファに向けて出力する出力処理部、
複数のプルーファそれぞれ用の出力処理が同時並行に実行される並行処理モードと、一時には１つの出力処理が実行される排他処理モードとのうちいずれかの処理モードを操作に応じて選択するモード選択部、および
前記モード選択部によって選択された処理モードに従った出力処理を前記出力処理部に実行させる処理管理部を備えたことを特徴とするデータ出力装置。
【請求項２】
画像データに従って印刷物を再現する複数のプルーファが接続されるコンピュータに組み込まれ、該コンピュータに、各プルーファに向けた画像データを出力させるデータ出力プログラムにおいて、
前記コンピュータ上で、
各プルーファについて、そのプルーファで再現される印刷物を表現した、そのプルーファ宛の印刷データを入手するデータ入手部、
前記データ入手部によって入手された印刷データを、その印刷データが宛てられたプルーファ用の出力処理を経て、該プルーファ用の画像データに変換し、該プルーファに向けて出力する出力処理部、
複数のプルーファそれぞれ用の出力処理が同時並行に実行される並行処理モードと、一時には１つの出力処理が実行される排他処理モードとのうちいずれかの処理モードを操作に応じて選択するモード選択部、および
前記モード選択部によって選択された処理モードに従った出力処理を前記出力処理部に実行させる処理管理部を構成することを特徴とするデータ出力プログラム。
【発明の詳細な説明】
【技術分野】
【０００１】
本発明は、印刷物を再現する複数のプルーファに対して画像データを出力するデータ出力装置、およびコンピュータに組み込まれてそのコンピュータに画像データを出力させるデータ出力プログラムに関する。
【背景技術】
【０００２】
近年、印刷の分野にも電子化が普及してきたのに伴って、印刷物の色や文章などを確認する校正作業（プルーフ）も、旧来は、印刷機で試し刷りされた印刷物によって確認されていたものが、近年では、印刷用の画像データが用いられてプリンタ等で印刷物が再現されたプリントが用いられるようになってきている。このような校正作業に用いられるプリンタ等はプルーファと称されている。また、印刷物を電子的に表現した印刷データを、そのようなプルーファ用の画像データに処理して出力するデータ出力装置も普及している。このようなデータ出力装置が処理対象として受け取る印刷データは、例えば１冊の印刷物を構成する複数のページ画像を表したデータ群であり、このようなデータ群はジョブと称されている。またデータ出力装置には、入手したジョブを入手順に積み上げておくジョブキューが用意されていて、そのジョブキューに積まれたジョブは、データ出力装置によって、入力順に処理されていくのが一般的である。
【０００３】
しかし、ジョブキューに積まれたジョブが単純に入力順に処理されるのでは、データ出力装置とプルーファとを含めたシステム全体としての生産効率が悪い場合がある。そこで、このシステムにおける生産効率を高めるための技術として、プルーファにおける処理のモードに応じてジョブの処理を変更する技術が提案されている（例えば、特許文献１参照。）。
【特許文献１】特開２００２−３４２０４６号公報（６〜７頁、第２図）
【発明の開示】
【発明が解決しようとする課題】
【０００４】
ところで、データ出力装置には複数のプルーファが接続される場合があり、この場合には、各プルーファのジョブキューに積まれたジョブが処理されていく際に、複数のプルーファそれぞれに対する出力処理が競合してデータ出力装置の処理能力（リソース）が不足してしまい、生産効率が大幅に低下するという事態が生じる。このような事態は、プルーファが印刷物を再現するものであることに起因して、データ出力装置で大容量データの処理が必要となるために生じる事態である。
【０００５】
本発明は上記事情に鑑み、生産効率の高いデータ出力装置およびデータ出力プログラムを提供することを目的とする。
【課題を解決するための手段】
【０００６】
上記目的を達成する本発明のデータ出力装置は、
画像データに従って印刷物を再現する複数のプルーファが接続された、各プルーファに向けた画像データを出力するデータ出力装置において、
各プルーファについて、そのプルーファで再現される印刷物を表現した、そのプルーファ宛の印刷データを入手するデータ入手部、
データ入手部によって入手された印刷データを、その印刷データが宛てられたプルーファ用の出力処理を経て、そのプルーファ用の画像データに変換し、そのプルーファに向けて出力する出力処理部、
複数のプルーファそれぞれ用の出力処理が同時並行に実行される並行処理モードと、一時には１つの出力処理が実行される排他処理モードとのうちいずれかの処理モードを操作に応じて選択するモード選択部、および
モード選択部によって選択された処理モードに従った出力処理を出力処理部に実行させる処理管理部を備えたことを特徴とする。
【０００７】
ここで並行処理モードは、いわば、各プルーファのジョブキューに積まれたジョブが各ジョブキューで個別に管理されて実行されるようなモードである。また、排他処理モードは、いわば、全プルーファに共通のジョブキューにジョブが積まれて一括管理されて順次に実行されるようなモードである。但し、本発明では、結果としてこれらの処理モードが実現されるのであればジョブキューの個数は任意である。
【０００８】
本発明のデータ出力装置によれば、このような並行処理モードと排他処理モードが選択的に実行可能であるので、上述したように複数のプルーファそれぞれに対する出力処理が競合する場合には排他処理モードによって処理され、そのような競合が生じにくい、文章が主の印刷物などが再現される場合には並行処理モードによって処理されることによって高い生産効率で処理されることとなる。
【０００９】
上記目的を達成する本発明のデータ出力プログラムは、
画像データに従って印刷物を再現する複数のプルーファが接続されるコンピュータに組み込まれ、そのコンピュータに、各プルーファに向けた画像データを出力させるデータ出力プログラムにおいて、
上記コンピュータ上で、
各プルーファについて、そのプルーファで再現される印刷物を表現した、そのプルーファ宛の印刷データを入手するデータ入手部、
データ入手部によって入手された印刷データを、その印刷データが宛てられたプルーファ用の出力処理を経て、そのプルーファ用の画像データに変換し、そのプルーファに向けて出力する出力処理部、
複数のプルーファそれぞれ用の出力処理が同時並行に実行される並行処理モードと、一時には１つの出力処理が実行される排他処理モードとのうちいずれかの処理モードを操作に応じて選択するモード選択部、および
モード選択部によって選択された処理モードに従った出力処理を出力処理部に実行させる処理管理部を構成することを特徴とする。
【００１０】
本発明のデータ出力プログラムによれば、本発明のデータ出力装置の構成要素を、コンピュータによって容易に構成することができる。
【００１１】
本発明のデータ出力プログラムがコンピュータ上に構成するデータ出力部などといった要素は、１つの要素が１つのプログラム部品によって構築されるものであってもよく、１つの要素が複数のプログラム部品によって構築されるものであってもよく、複数の要素が１つのプログラム部品によって構築されるものであってもよい。また、これらの要素は、そのような作用を自分自身で実行するものとして構築されてもよく、あるいは、コンピュータに組み込まれている他のプログラムやプログラム部品に指示を与えて実行するものとして構築されても良い。
【発明の効果】
【００１２】
以上説明したように、本発明によれば、生産効率の高いデータ出力装置およびデータ出力プログラムが得られる。
【発明を実施するための最良の形態】
【００１３】
以下図面を参照して本発明の実施の形態を説明する。
【００１４】
図１は、本発明のデータ出力装置の一実施形態を示す図である。
【００１５】
この図には、例えばＲＩＰ（Ｒａｓｔｅｒ  Ｉｍａｇｅ  Ｐｒｏｃｅｓｓｏｒ）などに代表される、所定ファーマットの画像データファイルを出力することができる上流システム１００に接続され、その上流システム１００から画像データのファイルを受け取り、そのファイルの画像データに各種の画像処理を施した上でプルーファに出力するプルーファシステム２００が示されている。この図では、プルーファの例として、いわゆるＤＤＣＰ（Ｄｉｒｅｃｔ  Ｄｉｇｉｔａｌ  Ｃｏｌｏｒ  Ｐｒｏｏｆｉｎｇ）と称されるプルーフ専用機３１０，３２０と、プルーフ用に転用されたインクジェットプリンタ３３０が示されている。以下では、これらＤＤＣＰ３１０，３２０およびインクジェットプリンタ３３０をプルーファ３１０，３２０，３３０と総称する場合がある。
【００１６】
この図に示すプルーファシステム２００は本発明のデータ出力装置の一実施形態に相当するものであり、このプルーファシステム２００は、コンピュータに、本発明のデータ出力プログラムの一実施形態が組み込まれることによって構成されている。
【００１７】
図２は、プルーファシステムを構成するコンピュータの外観斜視図である。
【００１８】
このコンピュータ５００は、コンピュータシステムで構成されており、ＣＰＵ、ＲＡＭメモリ、ハードディスク、通信ボード等を内蔵した本体部５０１、本体部５０１からの指示により蛍光面５０２ａに画面表示を行うＣＲＴディスプレイ５０２、このコンピュータシステム内にユーザの指示や文字情報を入力するためのキーボード５０３、蛍光面５０２ａ上の任意の位置を指定することによりその位置に応じた指示を入力するマウス５０４を備えている。
【００１９】
本体部５０１は、さらに、外観上、フレキシブルディスクやＣＤ−ＲＯＭ６００が装填されるフレキシブルディスク装填口５０１ａおよびＣＤ−ＲＯＭ装填口５０１ｂを有しており、その内部には、装填されたフレキシブルディスクやＣＤ−ＲＯＭ６００をドライブする、フレキシブルディスクドライブ、ＣＤ−ＲＯＭドライブも内蔵されている。
【００２０】
このコンピュータ５００は、本体部５０１に内蔵された通信ボードを介して通信網７００に接続されており、この通信網を介して前述の上流システムやプルーファとデータの受渡しを行う。
【００２１】
ここでは、ＣＤ−ＲＯＭ６００に本発明のデータ出力プログラムの一実施形態が記憶されており、このＣＤ−ＲＯＭ６００がＣＤ−ＲＯＭ装填口５０１ｂから本体部５０１内に装填され、ＣＤ−ＲＯＭドライブによりそのＣＤ−ＲＯＭ６００に記憶されたデータ出力プログラムがこのコンピュータ５００のハードディスク内にインストールされる。このコンピュータ５００のハードディスク内にインストールされたデータ出力プログラムが起動されると、このコンピュータ５００は、本発明のデータ出力装置の一実施形態として動作する。
【００２２】
図３は、本発明のデータ出力プログラムの一実施形態を示す図である。ここでは、このデータ出力プログラム８００は、データ出力プログラム記録媒体６１０に記憶されている。
【００２３】
この図３に示すデータ出力プログラム記録媒体６１０は、データ出力プログラム８００が記憶された記憶媒体であればその種類を問うものではなく、例えばＣＤ−ＲＯＭにこのデータ出力プログラム８００が格納されているときはそのＣＤ−ＲＯＭを指し、そのデータ出力プログラム８００がローディングされてハードディスク装置に記憶されたときはそのハードディスク装置を指し、あるいはそのデータ出力プログラム８００がフレキシブルディスクにダウンロードされたときはそのフレキシブルディスクを指す。なお、本発明のデータ出力プログラムは、このように記録媒体に記録されたものに限られず、データ通信網状を伝達されているものであってもよい。
【００２４】
この図３に示すデータ出力プログラム８００は、図２に示すコンピュータ５００内で実行され、そのコンピュータ５００を、本発明のデータ出力装置の一実施形態として動作させるものであり、データ入手部８１０と出力処理部８２０とモード選択部８３０と処理管理部８４０とを有する。
【００２５】
このデータ出力プログラム８００が図２に示すコンピュータ５００に組み込まれて実行されることによって図１に示すプルーファシステム２００の各要素がコンピュータ５００上に構成される。以下、図１に戻って説明を続ける。
【００２６】
プルーファシステム２００には、ドロップフォルダ２１１と、ジョブ管理部２１２と、画像処理部２１３と、キャリブレーション部２１４と、出力ドライバ２１５が備えられている。これらの要素は、画像データに対する各種の処理を実行する要素である。また、このプルーファシステム２００には、データベース（以下ＤＢと略記）群２２０も備えられており、このＤＢ群２２０には、ドロップフォルダＤＢ２２１と、プロファイルＤＢ２２２と、キャリブＤＢ２２３と、デバイスＤＢ２２４と、網テンプレートＤＢ２２５と、特色ＤＢ２２６と、ドットゲインＤＢ２２７と、ジョブキューＤＢ２２８が含まれている。更に、このプルーファシステム２００には、画像ビューア２３１と、Ｗｅｂサーバ機能部２３２と、印刷プロファイル作成カスタマイズツール２３３と、グレーキャリブレーションツール２３４と、ドットゲイン調整ツール２３５と、ジョブ管理ツール２３６も備えられており、これらの要素は、上述した画像処理部などで実行される処理に関する各種の設定や調整のために用いられる要素である。
【００２７】
また、このプルーファシステム２００には、いわゆる端末として機能するリモートＧＵＩクライアント４００が接続されている。
【００２８】
プルーファシステム２００の上述した各要素のうちのドロップフォルダ２１１は、図３に示すデータ入手部８１０によって構築される。また、図１の画像処理部２１３、キャリブレーション部２１４、出力ドライバ２１５、Ｗｅｂサーバ機能部２３２、印刷プロファイル作成カスタマイズツール２３３、グレーキャリブレーションツール２３４、およびドットゲイン調整ツール２３５は、図３に示す出力処理部８２０によって構築される。更に、図１のジョブ管理ツール２３６は、図３に示すモード選択部８３０によって構築され、図１のジョブ管理部２１２は、図３に示す処理管理部８４０によって構築される。なお、図１のＤＢ群２２０は、図２に示すコンピュータ５００に内蔵されたハードディスクがその機能を担っている。
【００２９】
このように、図３に示すデータ出力プログラム８００の各要素は、図１に示すプルーファシステム２００の要素に対応しているが、このプルーファシステム２００の要素がコンピュータのハードウェアとそのコンピュータで実行されるＯＳやアプリケーションプログラムとの組合せで構成されているのに対し、図３に示すデータ出力プログラム８００の各要素はそれらのうちのアプリケーションプログラムのみにより構成されている点が異なる。
【００３０】
以下、プルーファシステム２００の各要素の機能について説明する。
【００３１】
ドロップフォルダ２１１は、上流システム１００から送られてくる画像データファイルが格納されるフォルダであり、このドロップフォルダ２１１へ画像データファイルが格納されたことを受けて、プルーファシステム２００は、そのファイルの画像データを出力処理の対象として取り扱い、その画像データファイルのジョブをジョブキューＤＢ２２８に積む。このドロップフォルダ２１１は本発明にいうデータ入手部の一例に相当し、画像データファイルは、本発明にいう印刷データの一例に相当する。
【００３２】
ジョブ管理部２１２は、ジョブキューＤＢ２２８に積まれた各ジョブに対する出力処理の実行タイミングを管理するものであり、後述する並行出力モードと排他出力モードとから選択されるモードに従った管理を行う。このジョブ管理部２１２は本発明にいう処理管理部の一例に相当する。
【００３３】
画像処理部２１３は、画像データに対して、画像の色を変換する色変換処理、特色インクの色を再現するための特色処理、画像の向きを回転させる回転処理、画像を反転させるミラー処理、画像の解像度を変更する解像度変換処理、画像を網点化することにより画像の階調を２値で表現する２値化処理、いわゆるドットゲインを調整するゲイン調整処理などといった各種の画像処理を施すものである。
【００３４】
キャリブレーション部２１４は、プルーファ３１０，３２０，３３０における色再現性の不正確さを是正するキャリブレーションを画像データの修正によって実現するものである。
【００３５】
出力ドライバ２１５は、出力先のプルーファ３１０，３２０，３３０に応じた出力形式で画像データを出力するものである。
【００３６】
これら画像処理部２１３、キャリブレーション部２１４、および出力ドライバ２１５は、本発明にいう出力処理部の一例を構成している。
【００３７】
ＤＢ群２２０のドロップフォルダＤＢ２２１には、ドロップフォルダ２１１として用いられるフォルダのリストが格納され、プロファイルＤＢ２２２には色変換処理の前後における色の対応関係を定義したプロファイルが印刷プロファイル作成カスタマイズツール２３３によって作成されて格納されている。キャリブＤＢ２２３には、各プルーファ３１０，３２０，３３０に対するキャリブレーションに相当するデータ修正の定義がグレーキャリブレーションツール２３４によって作成されて格納され、デバイスＤＢ２２４には、各プルーファ３１０，３２０，３３０における出力形式が記録されている。網テンプレートＤＢ２２５には、２値化処理で用いられる網点の定義が格納され、特色ＤＢ２２６には、特色インクの色を再現するためのデータが格納されている。ドットゲインＤＢ２２７には、ゲイン調整処理におけるドットゲイン調整の定義がドットゲイン調整ツール２３５によって作成されて格納され、ジョブキューＤＢ２２８には、出力処理の対象となったジョブが積まれているとともに、画像データの出力処理のモードが記録されている。
【００３８】
画像ビューア２３１は、ジョブの画像を確認するためのツールであり、Ｗｅｂサーバ機能部２３２は、リモートＧＵＩクライアント４００に、上記の各ツールを操作するためのＧＵＩ画面を提供するものである。
【００３９】
ジョブ管理ツール２３６は、ジョブキューＤＢ２２８に積まれたジョブをジョブ管理部２１２が管理するときの管理対象や管理方式などを設定するためのツールであり、本発明にいうモード選択部の一例に相当する。このジョブ管理ツール２３６には、ジョブキューＤＢに積まれたジョブをジョブキュー確認表に一覧表示する機能や、ジョブの処理モードを設定する設定操作をモード設定画面で受け付ける機能などが備えられている。
【００４０】
図４は、ジョブキュー確認表を示す図である。
【００４１】
上述したようにジョブ管理ツール２３６には、この図４に示すジョブキュー確認表９１０を表示する機能が備えられており、このジョブキュー確認表９１０には、各ジョブに対して付されたジョブＩＤ９１１、各ジョブのジョブ名９１２、各ジョブの処理状態９１３、および各ジョブにおける画像の出力先９１４が一覧表示される。
【００４２】
ここに示すように本実施形態では、１つのジョブキューに複数の出力先９１４宛のジョブが積まれている。
【００４３】
この図４には、処理状態９１３が、「登録済み」や「処理済み」といった処理停止中の状態にあるジョブだけが示されているが、このジョブキュー確認表９１０では、表示されたジョブの中から任意のジョブを選択して再処理させるなどといった設定操作が可能である。そのような設定操作が実行されると処理状態９１３が「処理中」や「処理待機中」などになり、図１に示すジョブ管理部２１２による管理の下で各ジョブが処理される。
【００４４】
図５は、モード設定画面を示す図である。
【００４５】
このモード設定画面９２０には２つのラジオボタン９２１，９２２が備えられており、これらのラジオボタン９２１，９２２がクリックされることによって、並行出力モードもしくは排他出力モードが選択的に設定される。並行出力モードでは、ジョブキューＤＢに積まれたジョブの出力先のプルーファが空いていると、複数のジョブについて並行して出力処理が実行される。一方、排他出力モードでは、出力先にかかわらず、ジョブキューＤＢに積まれたジョブが１つずつ順次に処理される。
【００４６】
以下、ジョブ処理の例をあげて、並行出力モードと排他出力モードとの処理手順の違いについて説明する。ここでは、「プルーファ１」という出力先に宛てた「ジョブ１」というジョブと、「プルーファ２」という出力先に宛てた「ジョブ２」および「ジョブ３」という２つのジョブが処理される例について説明する。ジョブキューには「ジョブ１」「ジョブ２」「ジョブ３」の順でジョブが積まれているものとする。
【００４７】
図６は、並行出力モードにおける出力処理のフローチャートである。
【００４８】
並行出力モードでは、先ず時刻Ｔ１で、図１に示すジョブ管理部２１２によって、ジョブキューに積まれている各ジョブに対する出力処理の実行開始が指示される。実行の指示を実際に受けるのは、図１に示す画像処理部２１３等であるが、この図６では各ジョブが指示を受けるものとして図示されている。「ジョブ１」と「ジョブ２」は出力先が異なるので同時並行に出力処理が実行され、「ジョブ２」と同じ出力先の「ジョブ３」については待機状態となっている。「ジョブ１」と「ジョブ２」が同時並行に処理された結果、各出力先の「プルーファ１」および「プルーファ２」に対し、それぞれ時刻Ｔ２と時刻Ｔ３に印刷指示が発せられ、「プルーファ１」および「プルーファ２」では、印刷物を再現した画像が同時並行に出力される。その後、時刻Ｔ４および時刻Ｔ５で各出力先から印刷完了が報告され、「ジョブ１」についてはジョブ完了がジョブ管理部に報告される。また、「ジョブ２」からは、時刻Ｔ６で、プリンタ解放とジョブ完了の報告が発せられ、プリンタ解放を受けた「ジョブ３」の処理が開始される。その後、時刻Ｔ７で「ジョブ３」の印刷指示が出力先の「プルーファ２」に対して発せられて「プルーファ２」によって印刷物が再現される。そして時刻Ｔ８で、「プルーファ２」から印刷完了が報告されるとともに「ジョブ３」からジョブ完了がジョブ管理部に報告される。
【００４９】
並行出力モードではこのような手順で３つのジョブ「ジョブ１」「ジョブ２」「ジョブ３」が処理されるが、このうち２つのジョブ「ジョブ１」「ジョブ２」については１つのコンピュータ上で処理が競合するので、これらのジョブが大容量データを含むようなジョブである場合には、リソースが不足して処理速度が大幅に低下し、生産効率が悪化するというおそれがある。一方、文章が主である印刷物などを表した小容量データのみのジョブが処理対象である場合にはそのようなリソース不足は生じにくいので、並行出力モードでは、各出力先で印刷（出力）が同時に進行して生産効率が高い。従って、小容量データのジョブが多いと考えられるときには並行出力モードが選択されることが望ましい。
【００５０】
図７は、排他出力モードにおける出力処理のフローチャートである。
【００５１】
排他出力モードでは、先ず時刻Ｔ１１で、図１に示すジョブ管理部２１２によって、ジョブキューに最初に積まれた「ジョブ１」に対する出力処理の実行開始が指示される。「ジョブ１」が処理されると、時刻１２で、その「ジョブ１」の出力先である「プルーファ１」に対して印刷指示が発せられて「プルーファ１」によって印刷物が再現される。そして時刻Ｔ１３で、「プルーファ１」から印刷完了が報告されるとともに「ジョブ１」からジョブ完了がジョブ管理部に報告される。
【００５２】
その後、時刻Ｔ１４で、ジョブキューに次に積まれた「ジョブ２」に対する出力処理の実行開始が指示され、時刻１５で、その「ジョブ２」の出力先である「プルーファ２」に対して印刷指示が発せられて「プルーファ２」によって印刷物が再現され、時刻Ｔ１６で、「プルーファ２」から印刷完了が報告されるとともに「ジョブ２」からジョブ完了がジョブ管理部に報告される。
【００５３】
更に、時刻Ｔ１７で、ジョブキューに次に積まれた「ジョブ３」に対する出力処理の実行開始が指示され、時刻１８で、その「ジョブ３」の出力先である「プルーファ２」に対して印刷指示が発せられて「プルーファ２」によって印刷物が再現され、時刻Ｔ１９で、「プルーファ２」から印刷完了が報告されるとともに「ジョブ３」からジョブ完了がジョブ管理部に報告される。
【００５４】
このように、排他出力モードでは、ジョブの出力先にかかわらず、ジョブキューに積まれた順序でジョブが処理される。このため大容量データを含むジョブの処理の競合によるリソース不足が回避される。一方、もともとリソースに余裕がある小容量データのジョブについては、各出力先での印刷（出力）が順次に実行されるので生産効率が悪い。従って、大容量データを含むジョブが多いと考えられるときには排他出力モードが選択されることが望ましい。
【００５５】
このように本実施形態によれば、出力処理のモードが選択可能であるので、効率のよいリソースの利用と生産効率の向上が実現される。
【００５６】
なお、上記説明では、本発明にいう印刷データの一例として画像データが示されているが、本発明にいう印刷データは、印刷物を表現したデータであればよく、例えばページ記述言語によって表現されたページデータであってもよい。
【００５７】
また、上記説明では、出力先が異なるジョブが１つのジョブキューに積まれる例が示されているが、本発明では、出力先毎のジョブキューにジョブが積まれ、各ジョブキューのジョブが処理管理部によって一括管理されてもよい。
【図面の簡単な説明】
【００５８】
【図１】本発明のデータ出力装置の一実施形態を示す図である。
【図２】プルーファシステムを構成するコンピュータの外観斜視図である。
【図３】本２明のデータ出力プログラムの一実施形態を示す図である。
【図４】ジョブキュー確認表を示す図である。
【図５】モード設定画面を示す図である。
【図６】並行出力モードにおける出力処理のフローチャートである。
【図７】排他出力モードにおける出力処理のフローチャートである。
【符号の説明】
【００５９】
１００    上流システム
２００    プルーファシステム
２１１    ドロップフォルダ
２１２    ジョブ管理部
２１３    画像処理部
２１４    キャリブレーション部
２１５    出力ドライバ
２２０    データベース群
２２１    ドロップフォルダＤＢ
２２２    プロファイルＤＢ
２２３    キャリブＤＢ
２２４    デバイスＤＢ
２２５    網テンプレートＤＢ
２２６    特色ＤＢ
２２７    ドットゲインＤＢ
２２８    ジョブキューＤＢ
２３１    画像ビューア
２３２    Ｗｅｂサーバ機能部
２３３    印刷プロファイル作成カスタマイズツール
２３４    グレーキャリブレーションツール
２３５    ドットゲイン調整ツール
２３６    ジョブ管理ツール
３１０，３２０    プルーフ専用機
３３０    インクジェットプリンタ
４００    リモートＧＵＩクライアント
５００    コンピュータ
５０１    本体部
５０１ａ    フレキシブルディスク装填口
５０１ｂ    ＣＤ−ＲＯＭ装填口
５０２    ＣＲＴディスプレイ
５０３    キーボード
５０２ａ    蛍光面
５０４    マウス
６００    ＣＤ−ＲＯＭ
６１０    データ出力プログラム記憶媒体
７００    通信網
８００    データ出力プログラム
８１０    データ入手部
８２０    出力処理部
８３０    モード選択部
８４０    処理管理部
９１０    ジョブキュー確認表
９１１    ジョブＩＤ
９１２    ジョブ名
９１３    処理状態
９１４    出力先
９２０    モード選択欄
９２１，９２２    ラジオボタン
【図１】
2005276035.tif 000003
【図２】
2005276035.tif 000004
【図３】
2005276035.tif 000005
【図４】
2005276035.tif 000006
【図５】
2005276035.tif 000007
【図６】
2005276035.tif 000008
【図７】
2005276035.tif 000009